(57)【特許請求の範囲】
【請求項１】
インモールド成形により合成樹脂成形品の成形と同時に成形品の表面に貼付されるインモールドラベルであって、１枚のフィルム片(21)の裏面側の相互に分離した領域に複数のラベル片(22)を積層した構成とし、前記フィルム片(21)はインモールド成形後にラベル片(22)及び合成樹脂成形品の表面から剥離可能な構成とし、前記複数のラベル片(22)はインモールド成形後にそれぞれ合成樹脂成形品の表面の相互に分離した領域に貼着される構成としたインモールドラベル。
【請求項２】
１枚のフィルム片(21)の裏面側の相互に分離した領域に複数のラベル片(22)を積層し、前記フィルム片(21)はインモールド成形後にラベル片(22)及び合成樹脂成形品の表面から剥離可能な構成とし、前記複数のラベル片(22)はインモールド成形後にそれぞれ合成樹脂成形品の表面の相互に分離した領域に貼着される構成としたインモールドラベル(20)をインモールド材として使用し、
インモールド成形により表面の相互に分離した複数の領域のそれぞれにラベル片(22)を貼着したラベル付き合成樹脂成形品であって、
前記合成樹脂成形品をブロー成形による合成樹脂製壜体とし、
前記壜体(1)は、胴部(4)が壜体内部の減圧化に伴って減容変形が進行可能な薄肉に形成され、
該胴部(4)の周壁には少なくとも３つの谷折状の折り目線(13)が周方向に並列状に傾斜するように形成されたものとし、
前記胴部(4)の減容変形が前記折り目線(13)に沿った周壁の折り畳み状の変形により進行する構成とし、
前記胴部(4)の周壁の少なくとも１つの折り目線(13)を挟んで相対向する相互に分離した領域にそれぞれラベル片(22)を貼着したことを特徴とするラベル付き合成樹脂製成形品。
【請求項３】
胴部(4)の周壁は山折状に縦方向に略等間隔に形成される３本の稜線(12)を有し、隣接する該稜線(12)を３ケのパネル壁(11)で連結した構成であり、前記の各パネル壁(11)には一方の稜線(12)の上端部と他方の稜線(12)の下端部を対角線状に連結する谷折状の折り目線(13)を形成し、該３本の折れ目線(13)が周方向に並列状に傾斜するように構成し、前記、少なくとも一つのパネル壁(11)内の折り目線(13)を挟んで相対向する相互に分離した三角状の領域にそれぞれラベル片(22)を貼着したことを特徴とする請求項２記載のラベル付き合成樹脂製成形品。
【発明の詳細な説明】
【技術分野】
【０００１】
本発明は金型内にインモールド材として使用され、合成樹脂成形品の成形と同時に成形品の表面に貼着されるインモールドラベル及びこのインモールドラベルを貼着したインモールドラベル付き合成樹脂成形品に関する。
【背景技術】
【０００２】
合成樹脂製ブロー成形容器等の合成樹脂成形品の表面に、加飾とか商品名や説明文の表示を達成する手段として、装飾模様とか商品名、説明文を印刷表示したラベルを貼着する手段が多用されている。
そして、ラベルを貼着する方法の一つとして、インモールド材として、所謂、インモールドラベルを予め金型内にセットし、成形品の成形と同時にこの成形品の表面にインモールドで貼着するインモールド成形法がある。
【０００３】
このインモールド成形法は、成形品の成形と同時にラベルの貼着が達成され、専用の別工程の貼着作業を必要としないこと、成形品の表面とインモールドラベルとの間に段差が生じないので、この段差による成形品の外観体裁や触感の劣化の恐れがないこと、そして例えば、ブロー成形容器における薄肉化に関わり無く、容器本体に対するインモールドラベルの強固で安定した貼着を確実に得ることができること、と云う優れた作用効果を有する。
例えば、特許文献１には、インモールドラベル及びインモールドラベル二軸延伸ブロー成形品及びその製造方法に関する発明が記載されている。
【０００４】
図７は、従来から一般的に使用されているインモールドラベルの層構成の一例を示す断面図である。
このラベル１２０は、合成紙からなる不透明な基材フィルム１２５の表面側に印刷層１２６を形成し、この印刷層１２６を保護層１２８で被覆しており、また裏面側にはインモールド成形により合成樹脂成形品の表面に接着固定する接着層１２７となるヒートシール層を積層している。
【先行技術文献】
【特許文献】
【０００５】
【特許文献１】特開２００４−１３６４８６
【発明の概要】
【発明が解決しようとする課題】
【０００６】
ここで、上記したようなインモールドラベルを使用する場合、合成樹脂製壜体の減圧時における減容変形機能等の壜体としての機能に係る要請、あるいはラベルによる表示性や加飾性に係る要請等により、成形品の被貼着面の相互に分離した領域にそれぞれ、ラベルを貼付する必要がある場合には、複数のインモールドラベルを用意し、それぞれのインモールドラベルを予め金型内の所定の位置にセットして、成形品を成形する必要があり、
複数のラベルをセットするための装置、あるいはセットするための工程が複雑になり、全体として生産性が低下してしまう。
また、複数のラベルを別々に貼着するため、相互のラベル間で貼着位置にズレが生じるという問題もある。
【０００７】
本発明は上記のようなインモールドラベルに係る問題を解消しようとするものであり、被貼着体である合成樹脂成形品の機能性に係る要請や、ラベルによる表示性あるいは加飾性に係る要請に応じて、生産性を損なうことなく、また相互のラベル間の貼着位置のズレがないように、合成樹脂成形品の相互に分離した領域にそれぞれラベルを貼付することを技術的課題とするものである。
【課題を解決するための手段】
【０００８】
上記技術的課題を解決する手段に係る本発明の中、第１の発明はインモールドラベルに係るものであり、その構成は、
インモールド成形により合成樹脂成形品の成形と同時に成形品の表面に貼付されるインモールドラベルおいて、
１枚のフィルム片の裏面側の相互に分離した領域に複数のラベル片を積層した構成とし、
フィルム片はインモールド成形後にラベル片及び合成樹脂成形品の表面から剥離可能な構成とし、
複数のラベル片はインモールド成形後にそれぞれ合成樹脂成形品の表面の相互に分離した領域に貼着される構成とする、と云うものである。
【０００９】
上記構成のインモールドラベルをインモールド材として、予め金型内にセットし、合成樹脂成形品の成形と同時にこの成形品の表面にインモールドで貼着し、
貼着後、フィルム片を各ラベル片および合成樹脂成形品から剥離することにより、合成樹脂成形品の表面の相互に分離した領域に、それぞれラベルを貼付することができる。
【００１０】
ここで、個々のラベル片は、たとえば「保護層／印刷層／基材層／接着層」等、従来のインモールドラベルの層構成とすることができる。
すなわち、上記構成のインモールドラベルは、複数の従来のインモールドラベルを基盤層としての機能を発揮するフィルム片で一体化した、謂わば、合せラベルと云うことができる。
なお、上記構成また以下の説明でたとえば「フィルム片の裏面側」と云うように、インモールドラベル全体あるいはインモールドラベルを構成する各層の積層方向を明確にするために便宜上「表面側」また「裏面側」と云う用語を使用するが、ここで「裏面側」は合成樹脂成形品との貼着面側、「表面側」はその反対側を示す。
【００１１】
フィルム片をラベル片及び合成樹脂成形品から剥離可能とする手段としては、複数のラベル片に、このラベル片の表面側に積層されている保護層および被貼着体である合成樹脂成形品と溶融接着性のない合成樹脂製のフィルム片を積層する方法、
あるいは、フィルム片に剥離層を積層し、フィルム片をこの剥離層を介してラベル片の表面側に密着状に積層すると共に、インモールド成形により合成樹脂成形品の表面に密着状に積層する方法等を適宜採用することができる。
【００１２】
さらに、フィルム片とラベル片を剥離可能に積層する手段としては、
剥離タイプの粘着剤を使用する、超低硬度で粘着性を有するシリコンゴム等のゴム類を使用する、静電気により密着させる等のさまざまな方法もあり、生産性や剥離性を考慮して適宜選択することができる。
【００１３】
第２の発明は、上記説明した本発明のインモールラベル使用し、インモールド成形によりラベルを貼付した合成樹脂成形品に係るものであり、その構成は、
１枚のフィルム片の裏面側の相互に分離した領域に複数のラベル片を積層し、
フィルム片はインモールド成形後にラベル片及び合成樹脂成形品の表面から剥離可能な構成とし、複数のラベル片はインモールド成形後にそれぞれ合成樹脂成形品の表面の相互に分離した領域に貼着される構成としたインモールドラベルをインモールド材として使用したものであり、
インモールド成形により表面の相互に分離した複数の領域のそれぞれにラベルを貼着したラベル付き合成樹脂成形品、と云うものである。
【００１４】
上記第２の発明構成のラベル付き合成樹脂成形品によれば、
複数のラベル片をフィルム片で一体化した１枚のインモールドラベルにより、成形品の機能面に係る要請、あるいはラベル片による表示性や加飾性に係る要請に沿って、成形品の相互に分離した領域にそれぞれラベル片を貼着することが可能であり、
ラベルをセットするための装置、そしてセットのための工程が複雑になることに起因する生産性の低下を効果的に抑制することができる。
【００１５】
また、複数のラベル片をフィルム片で一体化した１枚のインモールドラベルにより、成形品の相互に分離した領域にそれぞれラベル片を貼着するので、相互のラベル間での貼着位置のズレをなくすことができ、複数のラベル片を合せた全体として高品位な表示性や加飾性を発揮させることが可能となる。
【００１６】
第３の発明の構成は、上記第２の発明において、
合成樹脂成形品をブロー成形による合成樹脂製壜体とし、
この壜体は、胴部が壜体内部の減圧化に伴って減容変形が進行可能な薄肉に形成され、胴部の周壁には少なくとも３つの谷折状の折り目線が周方向に並列状に傾斜するように形成されたものとし、
胴部の減容変形が折り目線に沿った周壁の折り畳み状の変形により進行する構成とし、
胴部の周壁の少なくとも１つの折り目線を挟んで相対向する相互に分離した領域にそれぞれラベル片を貼着する、と云うものである。
【００１７】
上記第３の発明の構成は、機能面での要請に沿って、相互に分離した領域にそれぞれラベル片を貼付した合成樹脂成形品の具体例に係るものであり、ブロー成形による合成樹脂製壜体において、減容変形と云う機能をスムーズにかつ十分に発揮させるための構成である。
この合成樹脂製壜体は、洗剤、柔軟剤、漂白剤、入浴剤、食品、化粧品、薬品等の詰替え容器として使用することができるものであり、倒立姿勢にして安定な姿勢を保持しながら内部の減圧化に伴う胴部の周壁の減容変形をスムーズに進行させながら内容液をその自重により継続使用容器に移し替えることができ、
従来、この種の詰替え容器として使用されてきたパウチ容器のように注出に伴う容器の横倒れの心配もないので、手で支えてやる必要もなく、安心して詰替え操作を実施することができる。
【００１８】
胴部の周壁の減容変形は、谷折状に、並列状に傾斜するように形成された折り目線に沿った周壁の折り畳み状の変形により進行し、折り目線は壜体の中心軸近づくように変位し、その結果胴部は、捩れ状に陥没変形すると共に、縦方向に縮小しながら変形するので、倒立姿勢を安定して保持ながら内容液をスムーズに継続使用容器に移し替えることができる。
【００１９】
ここで、この壜体は上記したように胴部の減容変形を、折り目線に沿った周壁の折り畳み状の変形により進行するようにしたものであり、表示や加飾のために斜めに形成される折り目線も含めた領域にラベルを貼着すると、このラベルのため、折り目線に沿った周壁の折り畳み状の変形がスムーズに進行せず、その結果、壜体の減容変形をスムーズにまた十分に進行させることができなくなってしまうと共に、壜体の倒立姿勢を安定して保持することも難しくなってしまう。
【００２０】
そこで、本第３の発明において、複数のラベル片をフィルム片で一体化した１枚のインモールドラベルにより、折り目線を挟んで相対向する相互に分離した領域にそれぞれラベル片を貼着すると云う構成とする、すなわち折り目線近傍にはラベル片を貼着しないようにして、折り目線に沿った、胴部の周壁の折り畳み状の変形をスムーズに進行させることができる。
【００２１】
また、複数のラベル片をフィルム片で一体化した１枚のインモールドラベルを使用するので、折り目線を挟んで相対向する一対のラベル片は相互に位置ズレすることなく貼着されるので、一対のラベル片全体として高品位な表示性や加飾性を発揮させることができる。
また、折り目線に対する貼着位置のズレがなく、ラベル片を高い寸法精度で貼着位置させることができ、位置ズレにより胴部の周壁の折り畳み状の変形のスムーズな進行が損なわれることもない。
【００２２】
第４の発明の構成は、上記第３の発明において、
胴部の周壁は山折状に縦方向に略等間隔に形成される３本の稜線を有し、隣接する稜線を３ケのパネル壁で連結した構成であり、
各パネル壁には一方の稜線の上端部と他方の稜線の下端部を対角線状に連結する谷折状の折り目線を形成し、これら３本の折れ目線が周方向に並列状に傾斜するように構成し、
少なくとも一つのパネル壁内の折り目線を挟んで相対向する相互に分離した三角状の領域にそれぞれラベル片を貼着する、と云うものである。
【００２３】
上記第４の発明の構成では、胴部の周壁を山折状に縦方向に略等間隔に形成される３本の稜線を有し、隣接する稜線を３ケのパネル壁で連結した構成とし、各パネル壁に一方の稜線の上端部と他方の稜線の下端部を対角線状に連結する谷折状の折り目線を形成する構成とすることにより、
縦方向に形成される３本の山折り状の稜線は押圧力に対して柱部としての機能を発揮するものであり、減容変形の進行中、折り目線は壜体の中心軸近づくように変位するが、これら稜線は壜体の中心軸に対して略初期の距離を保持しながら、周壁の平断面の外郭的な形状を正３角形状に保持して、減容変形状態においても壜体の倒立姿勢をより安定して保持することができる。
【発明の効果】
【００２４】
本発明は、上記した構成となっているので、以下に示す効果を奏する。
インモールドラベルに係る第１の発明にあっては、
このインモールドラベルは、複数の従来のインモールドラベルを、基盤層としての機能を発揮するフィルム片で一体化した、謂わば、合せラベルと云うことができ、
インモールド材として、予め金型内にセットし、合成樹脂成形品の成形と同時にこの成形品の表面にインモールドで貼着し、貼着後、フィルム片を各ラベル片および合成樹脂成形品から剥離することにより、
被貼着体である合成樹脂成形品の機能性に係る要請や、ラベルによる表示性あるいは加飾性に係る要請に応じて、生産性を損なうことなく、また相互のラベル間の貼着位置のズレがないように、合成樹脂成形品の相互に分離した領域にそれぞれラベルを貼付することができる。
【００２５】
また、ラベル付き合成樹脂成形品に係る第３の発明にあっては、
壜体の減容変形機能に係る要請に沿うものであり、複数のラベル片をフィルム片で一体化した１枚のインモールドラベルを使用して、折り目線を挟んで相対向する相互に分離した領域にそれぞれラベル片を貼着する構成とすることにより、折り目線に沿った胴部の周壁の折り畳み状の変形性、そして減容変形性を損なうことなく、スムーズに進行させることができる。
【図面の簡単な説明】
【００２６】
【図１】本発明のラベル付き合成樹脂成形品の一実施例であるラベル付き合成樹脂製壜体の正面図である。
【図２】図１中の壜体の正面図である。
【図３】図１中のＡ−Ａ線に沿った平断面図である。
【図４】図１中のインモールドラベルの（ａ）は平面図、（ｂ）は（ａ）中のＢ−Ｂ線に沿った断面図、（ｃ）は（ｂ）中のラベル片の層構成を示す断面図である。
【図５】図１中のＡ−Ａ線に沿って示すインモールドラベル近傍の平断面図であり、（ａ）はフィルム片の剥離前、（ｂ）は剥離後の状態である。
【図６】図１の壜体の使用態様及び減容変形状態の説明図である。
【図７】従来のインモールドラベルの代表的な層構成を示す断面図。
【発明を実施するための形態】
【００２７】
以下、本発明の実施形態を、実施例に沿って図面を参照しながら説明する。
図１は本発明のラベル付き合成樹脂成形品の一実施例であるラベル付き合成樹脂製壜体の正面図、図２は図１中の壜体１の正面図、図３は図1中のＡ−Ａ線に沿ったフィルム片２１の剥離後の平断面図、図４は図１中のインモールドラベルの平面図および断面図、図５は図１中のＡ−Ａ線に沿って示すインモールドラベル近傍の平断面図である。
壜体１はポロプロピレン（ＰＰ）樹脂製の２軸延伸ブロー成形品であり、口筒部２、半球殻状でテーパー筒状の肩部３、筒状の胴部４、有底短円筒状の底部５を有し、全高さ１２５ｍｍ、横幅７０ｍｍで、容量３００ｍｌの壜体である。
【００２８】
また、図２、図３に示されるように、胴部４の周壁には、山折状に縦方向に等間隔で３本の稜線１２（１２ａ、１２ｂ、１２ｃ）が形成されており、周壁は隣接する稜線１２を図３に見られるように平断面形状が円弧状の３ケのパネル壁１１（１１ａｂ、１１ｂｃ、１１ｃａ）で連結して構成されている。
また、各パネル壁１１には一方の側端に位置する稜線１２の上端部と他方の側端に位置する稜線１２の下端部を対角線状に連結する谷折状の折り目線１３（１３ａｂ、１３ｂｃ、１３ｃａ）を形成し、これら３本の折れ目線１３が周方向に並列状に傾斜するようにしている。
【００２９】
ここで、３本の稜線１２は図３の平断面図に見られるように、正３角形の頂点に配置され、壜体１に作用する横方向の力に対して柱部としての機能を発揮する。また、この胴部４の周壁は、稜線１２部分を除いて、上端と下端から中央高さ位置に向けて縮径するように形成されている。
また、本実施例の壜体１では、図２に見られるように、折り目線１３の中心軸Ａｘに対する傾斜角度Ｄを約４５°程度としている。この傾斜角度は、壜体の形状や、内容液のスムーズな注出性に係る胴部４の周壁の減容変形の態様を考慮して適宜に決めることができるものであるが、３０°〜６０°の範囲とするのが好ましい。
【００３０】
次に、図１中、壜体１の正面のパネル壁１１ａｂに貼着されているインモールドラベル２０について説明する。
図４（ａ）、（ｂ）に示すようにこのインモールドラベル２０は正方形状のフィルム片２１の裏面側に三角形状の２枚のラベル片２２を対角線状の帯状部分２１ｂを挟んで、相対向した位置に積層している。
本実施例では、フィルム片２１はポリエチレンテレフタレート（ＰＥＴ）樹脂の延伸フィルム製としている。
【００３１】
また、ラベル片２２は図４（ｃ）に示されるように、合成紙からなる不透明な基材フィルム２５の表面側に印刷層２６を形成し、この印刷層２６を透明なアクリル樹脂系の保護層２８で被覆しており、また裏面側にはインモールド成形により壜体１の胴部４のパネル壁１１ａｂの表面に接着固定する接着層２７となるヒートシール層を積層したものであり、
フィルム片２１と、ラベル片２２の保護層２８が剥離可能に密着状に積層している。
【００３２】
なお、本発明のインモールドラベルにおいて、ラベル片は、図４（ｃ）に示した層構成のものに限定されることなく、従来からインモールドラベルとして使用されてきたさまざまな態様の層構成を有するものを適宜に選択して使用することができる。
また、フィルム片とラベル片は上記のように直接積層する他にも、被貼着体である合成樹脂成形品との剥離性も考慮しながら剥離層を介して積層することもできる。
また、上記例ではフィルム片に２枚のラベル片を積層する構成としたが、目的に応じてさらに多数のラベル片を積層することもできる。
【００３３】
そして、このインモールドラベル２０をインサート材として予め金型内にセットすると共に、ＰＰ樹脂製の試験管状のプリフォームを金型内にセットし２軸延伸ブロー成形することにより、図１に示されるような、ラベル付き壜体を得ることができる。
本実施例では、インモールドラベル２０は壜体１のパネル壁１１ａｂの略全面に亘って貼着されるが、折り目線１３ａｂに沿って図４（ａ）に示した帯状部分２１ｂが対向位置し、図５（ａ）に示されるようにフィルム片２１が直接パネル壁１１ａｂの表面に密着状に積層している。ただし、壜体１はＰＰ樹脂製、フィルム片２１はＰＥＴ樹脂製であり、接着していないのでフィルム片２１をパネル壁１１ａｂの表面から剥離することができる。
【００３４】
次に、インモールド成形後、図１中のインモールドラベル２０の右上部分に示されているように、フィルム片２１の角部等を利用して白抜き矢印方向にこのフィルム片２１を剥離除去することにより、パネル壁内１１ａｂの折り目線１３ａｂを挟んで相対向する相互に分離した三角状の領域にそれぞれラベル片２２が貼着した状態とすることができる。（図３、図５（ｂ）も参照）
【００３５】
ここで、１枚のインモールドラベル２０で同時に２枚のラベル片２２を貼着するので、折り目線１３ａｂを挟んで相対向する位置に、位置ズレなく２枚のラベル片２２を貼着することができ、折り目線１３ａｂによる壜体１の減容変形に係る機能を十分に発揮させることができるし、２枚のラベル片２２を合せて全体としてラベルとしての表示機能や加飾機能を高品位に発揮させることができる。
【００３６】
次に図６は、図１に示される（フィルム片２１を除去した後の）ラベル付き壜体の使用態様及び減容変形状態の説明図、壜体１を詰替え容器として利用し、内容液（図示省略）を継続使用容器４０に移し替える際の様子を示したもので、壜体１は内容液の継続使用容器４０への移し替えの進行に伴って、減容変形がかなり進行した状態を、口筒部２部分を一部破断した斜視図で示している。
【００３７】
図６中、継続使用容器４０は容器本体４１とこの容器本体４１の口部４１ａに嵌着するキャップ体４２から構成され、このキャップ体４２には容器本体４１に連通するように注出筒片４３が起立配設されている。
そして口筒部２に嵌合筒３２を起立配設した結合蓋体３０を組付き筒３１により螺合固定した状態で、嵌合筒３２を注出筒片４３に嵌入するようにして、詰替え用の内容液を充填した壜体１を倒立姿勢で、継続使用容器４０に積載している。
【００３８】
上記のようにして壜体１を倒立姿勢で、継続使用容器４０に積載すると、注出筒片４３に配設した押上げ片４４により嵌合筒３２の先端部に配置された中栓３３が開放され、壜体１と容器本体４１が連通し、壜体１内の内容液が自重により容器本体４１内に流入する。
【００３９】
そして、内容液の流出により壜体１の内部の減圧化が進行すると、壜体１の周壁全体に押圧力が作用し、胴部４を構成する比較的薄肉で陥没変形の起点となる谷折り状の折れ目線１３が形成された各パネル壁１１の陥没変形、そして胴部４の減容変形が進行する。
さらに詳述すると、胴部４の減容変形は図６の壜体１にも見られるように、各パネル壁１１の各折れ目線１３に沿った折り畳み状の変形により進行し、
その結果、肩部３と底部５はほぼ元の形状を保持しながら、各折り目線１３は中心軸Ａｘ近づくように変位し、胴部４は、捩れ状に（図６中の中心軸Ａｘ周りの白抜き矢印参照）変形すると共に、縦方向に縮小しながら変形するので、倒立姿勢を安定して保持ながら内容液をスムーズに継続使用容器に移し替えることができる。
【００４０】
なお、縦方向に形成される３本の山折り状の稜線１２は、上記各パネル壁１１の陥没変形に従って、図６中の稜線１２ｂ、１２ｃに明確に示されるように傾斜状に変位するが、減容変形の進行中も壜体１の中心軸Ａｘに対して初期の距離を保持しながら、周壁の平断面の外郭的な形状を正３角形状に保持し、減容変形状態においても壜体１に横方向に作用する力に対する柱部として倒立姿勢を安定して保持する機能を発揮する。
【００４１】
ここで、本実施例では図１、あるいは図６に見られるようにパネル壁１１ａｂに折り目線１３ａｂを挟んで、折り目線１３ａｂに沿った領域を除いた相対向する相互に分離した三角形状の領域に２枚のラベル片２２を貼着するようにしており、ラベル片２５が上記した折り目線１３ａｂに沿った折り畳み状の変形を妨げることがないので、折り目線に沿った、パネル壁１１ａｂの折り畳み状の変形をスムーズに進行させることができる。
【００４２】
一方、表示や加飾のために折り目線も含めた領域にラベル片２２を貼着すると、このラベル片２２のため、折り目線に沿ったパネル壁１１の折り畳み状の変形がスムーズに進行せず、その結果、壜体１の減容変形をスムーズにまた十分に進行させることができなくなってしまうと共に、壜体の倒立姿勢を安定して保持することも難しくなってしまう。
【００４３】
以上、実施例に沿って本発明の構成とその作用効果を説明したが、本発明のインモールドラベル、そしてラベル付き合成樹脂成形品はこれら実施例に限定されるものではない。
【００４４】
また、上記実施例では壜体をＰＰ樹脂製、フィルム片をＰＥＴ樹脂製としたが、壜体としてはＰＥＴ樹脂製のもの等、使用目的を考慮して各種の合成樹脂製のものを使用することがでる。フィルム片についても壜体がＰＥＴ樹脂製の場合はＰＰ樹脂製のものを使用する等、インモールド成形後の壜体との剥離性を考慮して適宜に合成樹脂を選択することができ、さらに目的に応じてフィルム片に剥離層を積層することにより、同種の合成樹脂製とすることもできる。
【００４５】
また、本発明のインモールドラベルは、上記した減容変形機能を有する壜体だけでなく、胴部に折線溝リブ等を配設して使用後に折畳み状に容易に押し潰して破棄できるようにしたすことのできるブロー成形壜体にも使用することができる。本発明のインモールドラベルによればラベルの貼着により折線溝リブの機能を損なうことがないので、ラベルによる表示あるいは加飾機能と、使用後の易廃棄性を両立させることができる。
また、表示性あるいは加飾性の観点から複数のラベル片を分離状に貼着する用途についても本発明のインモールドラベルの作用効果が発揮される。
【産業上の利用可能性】
【００４６】
以上説明したように、本発明のインモールドラベルは被貼着体である合成樹脂成形品の機能性に係る要請や、ラベルによる表示性あるいは加飾性に係る要請に応じて、生産性を損なうことなく、また相互のラベル間の貼着位置のズレがないように、合成樹脂成形品の相互に分離した領域にそれぞれラベルを貼付することができるものであり、ブロー成形壜体等の合成樹脂成形品の分野での幅広い利用展開が期待される。
【符号の説明】
【００４７】
１  ；壜体
２  ；口筒部
３  ；肩部
４  ；胴部
５  ；底部
１１（１１ａｂ、１１ｂｃ、１１ｃａ）；パネル壁
１２（１２ａ、１２ｂ、１２ｃ）；稜線
１３（１３ａｂ、１３ｂｃ、１３ｃａ）；折り目線
２０、１２０；インモールドラベル
２１；フィルム片
２１ｂ；帯状部分
２２；ラベル片
２５、１２５；基材フィルム
２６、１２６；印刷層
２７、１２７；接着層
２８、１２８；保護層
３０；結合蓋
３１；組付き筒
３２；嵌合筒
３３；中栓
４０；継続使用容器
４１；容器本体
４１ａ；口筒
４２；キャップ体
４３；注出筒片
４４；押上げ片
【図１】
0005382534.tif 000002
【図２】
0005382534.tif 000003
【図３】
0005382534.tif 000004
【図４】
0005382534.tif 000005
【図５】
0005382534.tif 000006
【図６】
0005382534.tif 000007
【図７】
0005382534.tif 000008